(57)【要約】【課題】  非使用時に可能な限り小型化できるようにして、搬送を容易にし、使用時には、手動により処理水の処理を可能にし、例えば、災害時に、緊急に湖沼や河川水等の水を飲料水に浄水したいような場合に、容易に対応できるようにした。【解決手段】  凝集剤により処理水中の微細粒子の凝集を行う凝集槽１と、凝集槽１に取付けられて処理水を撹拌する手動の凝集撹拌器１０Ａと、凝集槽１から流出させた処理水を濾過する濾過手段３０を内装する濾過槽２と、濾過槽２から流出させた処理水を殺菌剤により殺菌を行う殺菌槽３と、殺菌槽３に取付けられて処理水を撹拌する手動の殺菌撹拌器１０Ｂとを備え、凝集撹拌器１０Ａ及び殺菌撹拌器１０Ｂを着脱可能且つ取外されて濾過槽２内に収納可能に形成し、濾過槽２を殺菌槽３に収納可能に形成し、殺菌槽３を凝集槽１に収納可能に形成した。【選択図】図１
2018051527.tif 000002
【特許請求の範囲】
【請求項１】
処理水及び凝集剤が入れられ該凝集剤により処理水中の微細粒子の凝集を行う上開口を有した容器状の凝集槽と、該凝集槽に取付けられて処理水を撹拌する手動の凝集撹拌器と、該凝集槽から流出させた処理水を濾過する濾過手段を内装し上開口を有した容器状の濾過槽とを備え、上記凝集撹拌器を上記凝集槽に着脱可能且つ該凝集槽から取外されて上記濾過槽内に収納可能に形成し、上記濾過槽を上記凝集槽に収納可能に形成したことを特徴とする浄水装置。
【請求項２】
上記凝集槽及び濾過槽を相似形状に形成して入れ子構造にしたことを特徴とする請求項１記載の浄水装置。
【請求項３】
上記凝集槽に取付けられるとともに該凝集槽の底面から所定高さ位置に入口を有し該凝集槽内の処理水の排水を行う開閉可能な凝集蛇口を備え、該凝集蛇口を上記凝集槽に着脱可能且つ該凝集槽から取外されて上記濾過槽内に収納可能に形成し、上記濾過槽に取付けられ該濾過槽内で濾過された処理水を排水する開閉可能な濾過蛇口を備え、該濾過蛇口を上記濾過槽に着脱可能且つ該濾過槽から取外されて該濾過槽内に収納可能に形成したことを特徴とする請求項１または２記載の浄水装置。
【請求項４】
上記凝集撹拌器を、上記上開口を形成する凝集槽の壁部間に着脱可能に架設される架設体と、該架設体を上記凝集槽の壁部に止着する止着手段と、該架設体を貫通し軸受部を介して回転可能に垂設される回転軸と、該回転軸の下端側に設けられる撹拌羽と、上記回転軸の上端部に設けられ該回転軸を手動で回転させるハンドルとを備えて構成したことを特徴とする請求項１乃至３何れかに記載の浄水装置。
【請求項５】
上記回転軸を接続及び離脱可能に複数に分割形成したことを特徴とする請求項４記載の浄水装置。
【請求項６】
上記ハンドルを、上記回転軸に一端が固定されるアームと、該アームの他端部に立設されるロッドと、該ロッドに回転自在に被冠され把持可能な把持パイプとを備えて構成したことを特徴とする請求項４または５記載の浄水装置。
【請求項７】
上記凝集槽の底面に、上記回転軸の下端を着脱可能に軸支する軸受体を設けたことを特徴とする請求項４乃至６何れかに記載の浄水装置。
【請求項８】
上記凝集槽の底面に載置され上記軸受体よりも高さが高く該軸受体を囲繞するリング状の支持部材を備えたことを特徴とする請求項７記載の浄水装置。
【請求項９】
上記濾過槽から流出させた濾過後の処理水及び殺菌剤が入れられ該殺菌剤により処理水の殺菌を行う上開口を有した容器状の殺菌槽と、該殺菌槽に取付けられて処理水を撹拌する手動の殺菌撹拌器とを備え、上記殺菌撹拌器を上記殺菌槽に着脱可能且つ該殺菌槽から取外されて上記濾過槽内に収納可能に形成し、上記濾過槽を上記凝集槽及び上記殺菌槽の何れか一方に収納可能に形成し、上記凝集槽及び上記殺菌槽の何れか一方を何れか他方に収納可能に形成したことを特徴とする請求項１乃至８何れかに記載の浄水装置。
【請求項１０】
上記凝集槽，濾過槽及び殺菌槽を相似形状に形成して入れ子構造にしたことを特徴とする請求項９記載の浄水装置。
【請求項１１】
上記殺菌槽に取付けられるとともに該殺菌槽の底面から所定高さ位置に入口を有し該殺菌槽内の処理水の排水を行う開閉可能な殺菌蛇口を備え、該殺菌蛇口を上記殺菌槽に着脱可能且つ該殺菌槽から取外されて上記濾過槽内に収納可能に形成したことを特徴とする請求項９または１０記載の浄水装置。
【請求項１２】
上記殺菌撹拌器を、上記上開口を形成する殺菌槽の壁部間に着脱可能に架設される架設体と、該架設体を上記殺菌槽の壁部に止着する止着手段と、該架設体を貫通し軸受部を介して回転可能に垂設される回転軸と、該回転軸の下端側に設けられる撹拌羽と、上記回転軸の上端部に設けられ該回転軸を手動で回転させるハンドルとを備えて構成したことを特徴とする請求項９乃至１１何れかに記載の浄水装置。
【請求項１３】
上記回転軸を接続及び離間可能に複数に分割形成したことを特徴とする請求項１２記載の浄水装置。
【請求項１４】
上記ハンドルを、上記回転軸に一端が固定されるアームと、該アームの他端部に立設されるロッドと、該ロッドに回転自在に被冠され把持可能な把持パイプとを備えて構成したことを特徴とする請求項１２または１３記載の浄水装置。
【請求項１５】
上記殺菌槽の底面に、上記回転軸の下端を着脱可能に軸支する軸受体を設けたことを特徴とする請求項乃至９乃至１４何れかに記載の浄水装置。
【請求項１６】
上記殺菌槽の底面に載置され上記軸受体よりも高さが高く該軸受体を囲繞するリング状の支持部材を備えたことを特徴とする請求項１５記載の浄水装置。
【請求項１７】
上記濾過槽内に、上流側から下流側に向けて処理水が順次流下可能な流下口を有した仕切り板を上流側から下流側に向けて所要間隔で複数設け、上記濾過槽の壁部と上記仕切り板とで上流側から下流側に向けて処理水の収容槽を複数連続して形成し、上記各仕切り板の上流側近傍に、下側に処理水の流入口が形成され該仕切り板との間に上記流下口に処理水を導く導通路を形成するガイド板を設け、上記最下流の収容槽を形成する濾過槽の壁部の下側に処理水の排出口を形成し、上記各収容槽内に取付けられて収納されるフィルタを備え、該フィルタを上記濾過槽に着脱可能に形成されるとともに該濾過槽から取外されて折畳み可能且つ折畳まれて該濾過槽内に収納可能に形成したことを特徴とする請求項１乃至１６記載の浄水装置。
【請求項１８】
上記最下流の収容槽を形成する仕切り板に平行な濾過槽の壁部の上流側近傍に、下側に処理水の流入口が形成され該濾過槽の壁部との間に空間を形成する補助板を設けたことを特徴とする請求項１７記載の浄水装置。
【請求項１９】
上記フィルタを袋状に形成し、上記最上流の収容槽より下流側の収容槽に収納されるフィルタには、上記仕切り板に形成された流下口に対応する入口を形成したことを特徴とする請求項１７または１８記載の浄水装置。
【請求項２０】
上記凝集槽の上開口を塞ぐ蓋を備えたことを特徴とする請求項１乃至１９何れかに記載の浄水装置。
【発明の詳細な説明】
【技術分野】
【０００１】
本発明は、湖沼，河川，貯水槽等からの水を浄化するための浄水装置に係り、特に、処理水を段階的に浄化する複数の槽を備えた浄水装置に関する。
【背景技術】
【０００２】
従来、この種の浄水装置としては、例えば、処理水及び凝集剤を入れてモータで駆動される撹拌器により撹拌して処理水中の微細粒子を凝集させる凝集槽と、凝集槽から流出される処理水を所要時間静置して凝集剤により生成された凝集体（フロック）を沈殿させる沈殿槽と、沈殿槽の上澄みからなりポンプで排給水された処理水中の凝集体を濾過する濾過槽と、濾過槽で処理された処理水を殺菌する殺菌槽とを備えたものがある（例えば、国際公開ＷＯ２０１０／０４４１３３号公報等に掲載）。
【先行技術文献】
【特許文献】
【０００３】
【特許文献１】国際公開ＷＯ２０１０／０４４１３３号公報
【発明の概要】
【発明が解決しようとする課題】
【０００４】
ところで、上記従来の浄水装置においては、電動の撹拌器や電動のポンプを備えているので構造が複雑になっており、また槽自体も大型であり、汎用性に劣るという問題があった。そのため、例えば、災害時に、緊急に湖沼や河川水等の水を飲料水に浄水したいような場合に、対応しにくいという問題があった。これを解決するために、例えば、槽自体を小型化するとともに、撹拌器を手動にし、電動ポンプによる給排水を手作業や水の自由落下によって行うようにすることも考えられる。しかしながら、処理水の処理時に並べられる複数の槽は、夫々分離しているので、搬送の際には嵩張ってしまい、搬送が煩雑になってしまい、汎用性を解消できない。
【０００５】
本発明は、このような問題点に鑑みてなされたもので、非使用時に可能な限り小型化できるようにして、搬送を容易にし、使用時には、手動により処理水の処理を可能にし、例えば、災害時に、緊急に湖沼や河川水等の水を飲料水に浄水したいような場合に、容易に対応できるようにした浄水装置を提供することを目的とする。
【課題を解決するための手段】
【０００６】
このような目的を達成するため、本発明の浄水装置は、処理水及び凝集剤が入れられ該凝集剤により処理水中の微細粒子の凝集を行う上開口を有した容器状の凝集槽と、該凝集槽に取付けられて処理水を撹拌する手動の凝集撹拌器と、該凝集槽から流出させた処理水を濾過する濾過手段を内装し上開口を有した容器状の濾過槽とを備え、上記凝集撹拌器を上記凝集槽に着脱可能且つ該凝集槽から取外されて上記濾過槽内に収納可能に形成し、上記濾過槽を上記凝集槽に収納可能に形成した構成としている。
【０００７】
これにより、本浄水装置の非使用時においては、凝集撹拌器を凝集槽から取外し、濾過槽内に収納する。そして、この濾過槽を、凝集槽の上開口から中に入れて収納する。この場合、凝集撹拌器は手動タイプなので、電動モータや配線などがないことから構造が複雑になることがなく、収納が容易になる。このため、凝集槽内に一式が収納されるので、コンパクトになり、搬送を容易にすることができる。凝集槽は、処理水を５リットル以上２００リットル以下程度収容できる大きさに形成すると良い。特に、凝集槽の大きさを縦，横，高さを夫々２０ｃｍ〜５０ｃｍ程度に形成して、手で持てるようにすると、搬送が極めて容易になる。
【０００８】
本装置を使用するときは、凝集槽から濾過槽を取り出すとともに、濾過槽から凝集撹拌器を取り出し、凝集槽に取付ける。そして、凝集槽において、処理水を投入するとともにこの処理水に凝集剤を入れ、凝集撹拌器で手動で撹拌する。凝集槽においては、処理水中の微細粒子は、凝集剤により凝集して凝集体（フロック）となり、撹拌されるので処理水中に分散する。そして、所要時間静置すると、凝集体の多くは凝集槽の底部に沈殿する。この状態で、凝集槽から処理水を適宜に流出させて、濾過槽に入れる。凝集槽に沈殿した沈殿物は適時に取り出す。濾過槽では濾過手段により、凝集体が濾過される。そして、濾過した処理水を、例えば容器に取り出し、殺菌剤を入れて殺菌すれば、飲料水として用いることができる。このように、浄水装置の搬送が極めて容易になるとともに、浄水処理を手動で行うことができるので、電気配線などの必要がないことから、例えば、災害時に、緊急に湖沼や河川水等を飲料水に浄水したいような場合に、容易に対応できるようなる。
【０００９】
また、本発明において、上記凝集槽及び濾過槽を相似形状に形成して入れ子構造にすることができる。入れ子構造なので、可能な限り凝集槽や濾過槽の容積を増すことができ、処理能力を増すことができる。
【００１０】
更に、必要に応じ、上記凝集槽に取付けられるとともに該凝集槽の底面から所定高さ位置に入口を有し該凝集槽内の処理水の排水を行う開閉可能な凝集蛇口を備え、該凝集蛇口を上記凝集槽に着脱可能且つ該凝集槽から取外されて上記濾過槽内に収納可能に形成し、上記濾過槽に取付けられ該濾過槽内で濾過された処理水を排水する開閉可能な濾過蛇口を備え、該濾過蛇口を上記濾過槽に着脱可能且つ該濾過槽から取外されて該濾過槽内に収納可能に形成した構成としている。
【００１１】
これにより、本浄水装置の非使用時においては、凝集撹拌器及び凝集蛇口を凝集槽から取外し、濾過蛇口を濾過槽から取外し、これらを濾過槽内に収納する。この場合、凝集撹拌器は手動タイプなので、電動モータや配線などがないことから構造が複雑になることがなく、収納が容易になる。そして、この濾過槽を、凝集槽の上開口から中に入れて収納する。このため、凝集槽内に一式が収納されるので、コンパクトになり、搬送を容易にすることができる。
【００１２】
本装置を使用するときは、凝集槽から濾過槽を取り出すとともに、濾過槽から凝集撹拌器，凝集蛇口及び濾過蛇口を取り出し、凝集槽に凝集撹拌器及び凝集蛇口取付け、濾過槽に濾過蛇口を取付ける。そして、凝集槽において、凝集蛇口を閉にして、処理水を投入するとともにこの処理水に凝集剤を入れ、凝集撹拌器で手動で撹拌する。凝集槽においては、処理水中の微細粒子は、凝集剤により凝集して凝集体（フロック）となり、撹拌されるので処理水中に分散する。そして、所要時間静置すると、凝集体の多くは凝集槽の底部に沈殿する。その後、凝集蛇口を開にして、凝集槽から処理水を流出させて、濾過槽に入れる。この場合、凝集蛇口の入口は凝集槽の底面から所定高さ位置にあるので、沈殿した凝集体を排出しにくくすることができる。凝集槽に沈殿した沈殿物は適時に取り出す。濾過槽では濾過手段により、凝集体が濾過される。そして、濾過蛇口を開にして濾過した処理水を、例えば容器に取り出し、殺菌剤を入れて殺菌すれば、飲料水として用いることができる。このように、浄水装置の搬送を容易にするとともに、処理を手動で行うことができるので、電気配線などの必要がないことから、例えば、災害時に、緊急に湖沼や河川水等を飲料水に浄水したいような場合に、容易に対応できるようなる。
【００１３】
そして、必要に応じ、上記凝集撹拌器を、上記上開口を形成する凝集槽の壁部間に着脱可能に架設される架設体と、該架設体を上記凝集槽の壁部に止着する止着手段と、該架設体を貫通し軸受部を介して回転可能に垂設される回転軸と、該回転軸の下端側に設けられる撹拌羽と、上記回転軸の上端部に設けられ該回転軸を手動で回転させるハンドルとを備えて構成している。構造を簡単にして着脱を容易にすることができる。
【００１４】
この場合、上記回転軸を接続及び離脱可能に複数に分割形成したことが有効である。収納時に、回転軸を離脱分解できるので、コンパクトにすることができ、濾過槽への収納を容易にすることができる。
【００１５】
また、この場合、上記ハンドルを、上記回転軸に一端が固定されるアームと、該アームの他端部に立設されるロッドと、該ロッドに回転自在に被冠され把持可能な把持パイプとを備えて構成したことが有効である。構造を簡単にすることができる。
【００１６】
更に、この場合、上記凝集槽の底面に、上記回転軸の下端を着脱可能に軸支する軸受体を設けたことが有効である。回転軸の下端を軸受体で支持するので、回転軸の回転を安定して行わせることができる。
【００１７】
この場合、上記凝集槽の底面に載置され上記軸受体よりも高さが高く該軸受体を囲繞するリング状の支持部材を備えたことが有効である。濾過槽を収納する際、凝集槽の底面に支持部材を載置すれば、軸受体に当接することなく、支持部材上に載置することができ、収納を安定させることができる。
【００１８】
そしてまた、必要に応じ、上記濾過槽から流出させた濾過後の処理水及び殺菌剤が入れられ該殺菌剤により処理水の殺菌を行う上開口を有した容器状の殺菌槽と、該殺菌槽に取付けられて処理水を撹拌する手動の殺菌撹拌器とを備え、上記殺菌撹拌器を上記殺菌槽に着脱可能且つ該殺菌槽から取外されて上記濾過槽内に収納可能に形成し、上記濾過槽を上記凝集槽及び上記殺菌槽の何れか一方に収納可能に形成し、上記凝集槽及び上記殺菌槽の何れか一方を何れか他方に収納可能に形成した構成としている。
【００１９】
これにより、本浄水装置の非使用時においては、殺菌撹拌器を殺菌槽から取外し、上記の凝集撹拌器とともに濾過槽内に収納する。この場合、凝集撹拌器及び殺菌撹拌器は手動タイプなので、電動モータや配線などがないことから構造が複雑になることがなく、収納が容易になる。そして、この濾過槽を、凝集槽及び殺菌槽の何れか一方に収納し、この何れか一方を何れか他方に収納する。このため、１つの槽内に一式が収納されるので、コンパクトになり、搬送を容易にすることができる。凝集槽を殺菌槽に収納するようにした場合、殺菌層は、処理水を５リットル以上２００リットル以下程度収容できる大きさに形成すると良い。特に、殺菌槽の大きさを縦，横，高さを夫々２０ｃｍ〜５０ｃｍ程度に形成して、手で持てるようにすると、搬送が極めて容易になる。
【００２０】
本装置を使用するときは、各槽を分離し、濾過槽から凝集撹拌器及び殺菌撹拌器を取り出し、凝集槽に凝集撹拌器を取付け、殺菌槽に殺菌撹拌器を取付ける。そして、凝集槽において、処理水を投入するとともにこの処理水に凝集剤を入れ、凝集撹拌器で手動で撹拌する。凝集槽においては、処理水中の微細粒子は、凝集剤により凝集して凝集体（フロック）となり、撹拌されるので処理水中に分散する。そして、所要時間静置すると、凝集体の多くは凝集槽の底部に沈殿する。その後、凝集槽から処理水を流出させて、濾過槽に入れる。凝集槽に沈殿した沈殿物は適時に取り出す。濾過槽では濾過手段により、凝集体が濾過される。そして、濾過した処理水を流出させて、殺菌槽に入れ、更に、殺菌剤を入れて、殺菌撹拌器で手動で撹拌する。これにより処理水は殺菌され、飲料水として用いることができるようになる。このように、浄水装置の搬送を容易にするとともに、処理を手動で行うことができるので、電気配線などの必要がないことから、例えば、災害時に、緊急に湖沼や河川水等を飲料水に浄水したいような場合に、容易に対応できるようなる。また、殺菌槽を設けたので、殺菌のための容器を別途用意しなくても良くなり、極めて便利になる。
【００２１】
この場合、上記凝集槽，濾過槽及び殺菌槽を相似形状に形成して入れ子構造にしたことが有効である。入れ子構造なので、可能な限り凝集槽，濾過槽及び殺菌槽の容積を増すことができ、処理能力を増すことができる。
【００２２】
また、必要に応じ、上記殺菌槽に取付けられるとともに該殺菌槽の底面から所定高さ位置に入口を有し該殺菌槽内の処理水の排水を行う開閉可能な殺菌蛇口を備え、該殺菌蛇口を上記殺菌槽に着脱可能且つ該殺菌槽から取外されて上記濾過槽内に収納可能に形成している。殺菌槽からの処理水の流出を容易にすることができる。
【００２３】
更に、必要に応じ、上記殺菌撹拌器を、上記上開口を形成する殺菌槽の壁部間に着脱可能に架設される架設体と、該架設体を上記殺菌槽の壁部に止着する止着手段と、該架設体を貫通し軸受部を介して回転可能に垂設される回転軸と、該回転軸の下端側に設けられる撹拌羽と、上記回転軸の上端部に設けられ該回転軸を手動で回転させるハンドルとを備えて構成している。構造を簡単にして着脱を容易にすることができる。
【００２４】
この場合、上記回転軸を接続及び離間可能に複数に分割形成したことが有効である。収納時に、回転軸を離脱分解できるので、コンパクトにすることができ、濾過槽への収納を容易にすることができる。
【００２５】
また、この場合、上記ハンドルを、上記回転軸に一端が固定されるアームと、該アームの他端部に立設されるロッドと、該ロッドに回転自在に被冠され把持可能な把持パイプとを備えて構成したことが有効である。構造を簡単にすることができる。
【００２６】
更に、この場合、上記殺菌槽の底面に、上記回転軸の下端を着脱可能に軸支する軸受体を設けたことが有効である。回転軸の下端を軸受体で支持するので、回転軸の回転を安定して行わせることができる。
【００２７】
この場合、上記殺菌槽の底面に載置され上記軸受体よりも高さが高く該軸受体を囲繞するリング状の支持部材を備えたことが有効である。濾過槽を収納する際、殺菌槽の底面に支持部材を載置すれば、軸受体に当接することなく、支持部材上に載置することができ、収納を安定させることができる。
【００２８】
また、必要に応じ、上記濾過槽内に、上流側から下流側に向けて処理水が順次流下可能な流下口を有した仕切り板を上流側から下流側に向けて所要間隔で複数設け、上記濾過槽の壁部と上記仕切り板とで上流側から下流側に向けて処理水の収容槽を複数連続して形成し、上記各仕切り板の上流側近傍に、下側に処理水の流入口が形成され該仕切り板との間に上記流下口に処理水を導く導通路を形成するガイド板を設け、上記最下流の収容槽を形成する濾過槽の壁部の下側に処理水の排出口を形成し、上記各収容槽内に取付けられて収納されるフィルタを備え、該フィルタを上記濾過槽に着脱可能に形成されるとともに該濾過槽から取外されて折畳み可能且つ折畳まれて該濾過槽内に収納可能に形成した構成としている。ガイド板の下側の流入口から導通路を通して処理水を流下口に導くので、処理水をフィルタに十分晒して濾過することができ、濾過を確実に行うことができる。また、収容槽に、凝集撹拌器やフィルタなどの部品を収納することができるようになる。
【００２９】
この場合、上記最下流の収容槽を形成する仕切り板に平行な濾過槽の壁部の上流側近傍に、下側に処理水の流入口が形成され該濾過槽の壁部との間に空間を形成する補助板を設けたことが有効である。空間の空気により排出口から確実に処理水を流出させることができる。
【００３０】
また、この場合、上記フィルタを袋状に形成し、上記最上流の収容槽より下流側の収容槽に収納されるフィルタには、上記仕切り板に形成された流下口に対応する入口を形成した構成としている。フィルタ内に入口から処理水を通して確実に濾過させることができる。
【００３１】
そして、本発明において、上記凝集槽の上開口を塞ぐ蓋を備えて構成することができる。濾過槽の収納時に蓋をして濾過槽を覆うことができるので、清潔にすることができる。
【発明の効果】
【００３２】
本発明によれば、非使用時においては、１つの槽内に一式を収納することができる。この場合、撹拌器は手動タイプなので、電動モータや配線などがないことから構造が複雑になることがなく、収納が容易になる。また、１つの槽内に一式を収納することができるので、コンパクトになり、搬送を容易にすることができる。そして、本装置を使用するときは、各槽を分離して用い、撹拌器を手動で操作して、処理水を処理する。このように、浄水装置の搬送を極めて容易に行うことができるとともに、処理を手動で行うことができるので、電気配線などの必要がないことから、例えば、災害時に、緊急に湖沼や河川水等を飲料水に浄水したいような場合に、容易に対応できるようなる。
【図面の簡単な説明】
【００３３】
【図１】本発明の実施の形態に係る浄水装置の全体構成を示す分解斜視図である。
【図２】本発明の実施の形態に係る浄水装置の凝集槽を示す断面図である。
【図３】本発明の実施の形態に係る浄水装置の濾過槽を示す断面図である。
【図４】本発明の実施の形態に係る浄水装置の殺菌槽を示す断面図である。
【図５】本発明の実施の形態に係る浄水装置の非使用時において、凝集槽に一式を収納して蓋をした状態を示す斜視図である。
【図６】本発明の実施の形態に係る浄水装置の非使用時において、凝集槽に一式を収納して蓋をした状態を示す断面図である。
【図７】本発明の実施の形態に係る浄水装置の使用時の状態の一例を示す図である。
【発明を実施するための形態】
【００３４】
以下、添付図面に基づいて本発明の実施の形態に係る浄水装置Ｓについて詳細に説明する。
図１乃至図７に示すように、本発明の実施の形態に係る浄水装置Ｓは、処理水及び凝集剤が入れられこの凝集剤により処理水中の微細粒子の凝集を行う上開口１ａを有した容器状の凝集槽１と、凝集槽１から流出させた処理水を濾過する濾過手段３０を内装し上開口２ａを有した容器状の濾過槽２と、濾過槽２から流出させた濾過後の処理水及び殺菌剤が入れられこの殺菌剤により処理水の殺菌を行う上開口３ａを有した容器状の殺菌槽３とを備えている。凝集剤としては、例えば、ポリ塩化アルミニウム等が挙げられる。殺菌剤としては、例えば、次亜塩素酸ナトリウム等が挙げられる。
【００３５】
凝集槽１，濾過槽２及び殺菌槽３は、例えば、軽量のプラスチックで、相似形状であって矩形箱状に形成されており、入れ子構造に形成されている。即ち、図６に示すように、凝集槽１にその上開口１ａから内部に殺菌槽３が収納され、殺菌槽３にその上開口３ａから内部に濾過槽２が収納されるように各槽が形成されている。また、凝集槽１の上開口１ａを塞ぐ蓋４が備えられている。凝集槽１は、処理水を５リットル以上２００リットル以下程度収容できる大きさに形成すると良い。特に、凝集槽１の大きさを縦，横，高さを夫々２０ｃｍ〜５０ｃｍ程度に形成して、手で持てるようすると、搬送が極めて容易になる。実施の形態では、凝集槽１の大きさを、縦２５ｃｍ，横２５ｃｍ，高さ３３．５ｃｍにしている。この場合は、凝集槽１は、処理水を１０リットル収容することができる。
【００３６】
また、本装置Ｓは、図１及び図２に示すように、凝集槽１に取付けられて処理水を撹拌する手動の凝集撹拌器１０Ａを備えている。この凝集撹拌器１０Ａは、凝集槽１に着脱可能且つ凝集槽１から取外されて濾過槽２の後述の収容槽３３内に収納可能に形成されている。詳しくは、凝集撹拌器１０Ａは、上開口１ａを形成する凝集槽１の壁部間に着脱可能に架設される架設体１１と、架設体１１を凝集槽１の壁部に止着する止着手段と、架設体１１を貫通し軸受部１２を介して回転可能に垂設される回転軸１３と、回転軸１３の下端側に設けられる撹拌羽１４と、回転軸１３の上端部に設けられ回転軸１３を手動で回転させるハンドル１５とを備えて構成されている。
【００３７】
止着手段は、図１に示すように、雄ネジ部を有した一対の蝶ボルト１６と、架設体１１の両端部に設けられ蝶ボルト１６の雄ネジ部が螺合する雌ネジ部１７と、凝集槽１の対面する一対の壁部の上部に、夫々、架設体１１の雌ネジ部１７に対応させて形成され、蝶ボルト１６の雄ネジ部が外部から挿通される挿通孔１８とで構成されている。
【００３８】
回転軸１３は、接続及び離脱可能に複数（実施の形態では２つ）に分割形成されている。即ち、回転軸１３は、ハンドル１５が設けられる上分割体１３ａと、撹拌羽１４が設けられる下分割体１３ｂとから構成されており、上分割体１３ａは架設体１１に軸受部１２を介して回転可能に取付けられ、下分割体１３ｂが上分割体１３ａに対してネジ手段により接続及び離脱可能になっている。
【００３９】
ハンドル１５は、回転軸１３に一端が固定されるアーム１５ａと、アーム１５ａの他端部に立設されるロッド１５ｂと、ロッド１５ｂに回転自在に被冠され把持可能な把持パイプ１５ｃとを備えて構成されている。凝集槽１の底面には、回転軸１３の下端を着脱可能に軸支する軸受体１９が設けられている。
【００４０】
また、本装置は、図１及び図４に示すように、殺菌槽３に取付けられて処理水を撹拌する手動の殺菌撹拌器１０Ｂを備えている。この殺菌撹拌器１０Ｂは、上記の凝集撹拌器１０Ａと同様に形成されているので、構成部品の符号を凝集撹拌器１０Ａと同じにして説明すると、殺菌槽３に着脱可能且つ殺菌槽３から取外されて濾過槽２の後述の収容槽３３内に収納可能に形成されている。詳しくは、殺菌撹拌器１０Ｂは、上開口３ａを形成する殺菌槽３の壁部間に着脱可能に架設される架設体１１と、架設体１１を殺菌槽３の壁部に止着する止着手段と、架設体１１を貫通し軸受部１２を介して回転可能に垂設される回転軸１３と、回転軸１３の下端側に設けられる撹拌羽１４と、回転軸１３の上端部に設けられ回転軸１３を手動で回転させるハンドル１５とを備えて構成されている。
【００４１】
止着手段は、雄ネジ部を有した一対の蝶ボルト１６と、架設体１１の両端部に設けられ蝶ボルト１６の雄ネジ部が螺合する雌ネジ部１７と、殺菌槽３の対面する一対の壁部の上部に、夫々、架設体１１の雌ネジ部１７に対応させて形成され、蝶ボルト１６の雄ネジ部が外部から挿通される挿通孔１８とで構成されている。
【００４２】
回転軸１３は、接続及び離脱可能に複数（実施の形態では２つ）に分割形成されている。即ち、回転軸１３は、ハンドル１５が設けられる上分割体１３ａと、撹拌羽１４が設けられる下分割体１３ｂされており、上分割体１３ａは架設体１１に軸受部１２を介して回転可能に取付けられ、下分割体１３ｂが上分割体１３ａに対してネジ手段により接続及び離脱可能になっている。
【００４３】
ハンドル１５は、回転軸１３に一端が固定されるアーム１５ａと、アーム１５ａの他端部に立設されるロッド１５ｂと、ロッド１５ｂに回転自在に被冠され把持可能な把持パイプ１５ｃとを備えて構成されている。殺菌槽３の底面には、回転軸１３の下端を着脱可能に軸支する軸受体１９が設けられている。
【００４４】
また、本装置においては、図１及び図２に示すように、凝集槽１に取付けられるとともに凝集槽１の底面から所定高さ位置に入口２１を有しこの凝集槽１内の処理水の排水を行う開閉可能な凝集蛇口２０Ａを備えている。この凝集蛇口２０Ａは、凝集槽１に着脱可能且つ凝集槽１から取外されて濾過槽２内に収納可能に形成されている。詳しくは、凝集蛇口２０Ａは、一端に入口２１が形成され外周に雄ネジが形成された入口部２２を備えるとともに他端に出口部２３を有した本体２４と、入口部２２の雄ネジに螺合する雌ネジを有したナット２５とから構成されている。本体２４には手動のレバー２６で開閉される開閉弁（図示せず）が内装されている。そして、凝集槽１の１つの壁部の下部に、入口部２２が挿通される挿通孔２７が形成されており、凝集蛇口２０Ａは、その入口部２２を挿通孔２７に挿通し、図示外のパッキンでシールして、ナット２５で締め付けることにより、凝集槽１に取付けられる。
【００４５】
更に、本装置においては、図１及び図３に示すように、濾過槽２に取付けられるとともに濾過槽２内で濾過された処理水を排水する開閉可能な濾過蛇口２０Ｂを備えている。この濾過蛇口２０Ｂは、上記の凝集蛇口２０Ａと同様に形成されているので、構成部品の符号を凝集蛇口２０Ａと同じにして説明すると、濾過槽２に着脱可能且つ濾過槽２から取外されて濾過槽２内に収納可能に形成されている。詳しくは、濾過蛇口２０Ｂは、一端に入口２１が形成され外周に雄ネジが形成された入口部２２を備えるとともに他端に出口部２３を有した本体２４と、入口部２２の雄ネジに螺合する雌ネジを有したナット２５とから構成されている。本体２４には手動のレバー２６で開閉される開閉弁（図示せず）が内装されている。濾過槽２の最下流の収容槽３３（後述）を構成する１つの壁部の下部に、入口部２２が挿通される挿通孔２７が形成されており、ナット２５は、濾過槽２内に固定されており、凝集蛇口２０Ａは、本体２４の入口部２２を挿通孔２７に挿通しながらナット２５にねじ込み、図示外のパッキンでシールして、濾過槽２に取付けられる。
【００４６】
更に、本装置においては、図１及び図４に示すように、殺菌槽３に取付けられるとともにこの殺菌槽３の底面から所定高さ位置に入口を有し殺菌槽３内の処理水の排水を行う開閉可能な殺菌蛇口２０Ｃを備えている。この殺菌蛇口２０Ｃは、上記の凝集蛇口２０Ａ及び濾過蛇口２０Ｂと同様に形成されているので、構成部品の符号を凝集蛇口２０Ａ及び濾過蛇口２０Ｂと同じにして説明すると、殺菌槽３に着脱可能且つ殺菌槽３から取外されて濾過槽２内に収納可能に形成されている。詳しくは、殺菌蛇口２０Ｃは、一端に入口２１が形成され外周に雄ネジが形成された入口部２２を備えるとともに他端に出口部２３を有した本体２４と、入口部２２の雄ネジに螺合する雌ネジを有したナット２５とから構成されている。本体２４には手動のレバー２６で開閉される開閉弁（図示せず）が内装されている。そして、殺菌槽３の１つの壁部の下部に、入口部２２が挿通される挿通孔２７が形成されており、殺菌蛇口２０Ｃは、その入口部２２を挿通孔２７に挿通し、図示外のパッキンでシールして、ナット２５で締め付けることにより、殺菌槽３に取付けられる。
【００４７】
凝集蛇口２０Ａ，濾過蛇口２０Ｂ，殺菌蛇口２０Ｃには、これらの出口部２３に袋状のフィルタ２８が取付けられる。フィルタ２８は止着部材２９を介して各蛇口２０Ａ，２０Ｂ，２０Ｃに着脱可能に形成されるとともに取外されて折畳み可能且つ折畳まれて濾過槽２内に収納可能に形成されている。フィルタ２８の目開きは、例えば、０．５μｍ〜２０μｍに設定されている。
【００４８】
次に、図３に示すように、濾過槽２の濾過手段３０について説明する。濾過槽２内には、上流側から下流側に向けて処理水が順次流下可能な流下口３１を有した仕切り板３２を上流側から下流側に向けて所要間隔で複数（実施の形態では２枚）設け、濾過槽２の壁部と仕切り板３２とで上流側から下流側に向けて処理水の収容槽３３を複数（実施の形態では３つ）連続して形成し、各仕切り板３２の上流側近傍に、下側に処理水の流入口３４が形成され仕切り板３２との間に流下口３１に処理水を導く導通路３５を形成するガイド板３６を設け、最下流の収容槽３３を形成する濾過槽２の壁部の下側に処理水の排出口３７を設け、各収容槽３３内に取付けられて収納されるフィルタ４０を備えている。排出口３７は、上記の濾過蛇口２０Ｂで構成される。フィルタ４０は、濾過槽２に着脱可能に形成されるとともに濾過槽２から取外されて折畳み可能且つ折畳まれて濾過槽２内に収納可能に形成されている。
【００４９】
フィルタ４０は、袋状に形成されており、図３に示すように、最上流の収容槽３３より下流側の収容槽３３に収納されるフィルタ４０には、仕切り板３２に形成された流下口３１に対応する入口４１が形成されている。また、図１に示すように、フィルタ４０の開口縁部には、収容槽３３の開口部に形成した係止部４２に係止される係止孔４３が形成され、この係止孔４３を係止部４２に係止することにより、フィルタ４０は各収容槽３３内に取付けられる。フィルタ４０の目開きは、例えば、０．５μｍ〜１μｍに設定されている。
【００５０】
また、最下流の収容槽３３を形成する濾過槽２の仕切り板３２に平行な壁部の上流側近傍に、下側に処理水の流入口３４が形成され濾過槽２の壁部との間に空間４４を形成する補助板４５が設けられている。
【００５１】
更に、図１及び図６に示すように、凝集槽１の底面に載置され上記の軸受体１９よりも高さが高く軸受体１９を囲繞するリング状の支持部材５０が備えられている。また、殺菌槽３の底面に載置され軸受体１９よりも高さが高く軸受体１９を囲繞するリング状の支持部材５０が備えられている。
【００５２】
従って、本浄水装置Ｓの非使用時においては、図１に示すように、凝集槽１から、凝集撹拌器１０Ａ及び凝集蛇口２０Ａを取外し、更に、凝集撹拌器１０Ａにおいては、回転軸１３の上分割体１３ａから下分割体１３ｂを取外す。また、殺菌槽３から、殺菌撹拌器１０Ｂ及び殺菌蛇口２０Ｃを取外し、更に、殺菌撹拌器１０Ｂにおいては、回転軸１３の上分割体１３ａから下分割体１３ｂを取外す。また、濾過槽２から、濾過蛇口２０Ｂを取外す。フィルタ２８及びフィルタ４０は、折畳んでおく。そして、図６に示すように、これらの凝集撹拌器１０Ａ，凝集蛇口２０Ａ，殺菌撹拌器１０Ｂ，殺菌蛇口２０Ｃ，濾過蛇口２０Ｂ，蝶ボルト１６や止着部材２９，フィルタ２８及びフィルタ４０を濾過槽２内に収納する。必要に応じ、例えば、凝集剤を入れた図示外の容器や殺菌剤を入れた図示外の容器も入れることができる。その他、適宜に必要品を入れて良いことは勿論である。この場合、凝集撹拌器１０Ａ，殺菌撹拌器１０Ｂは手動タイプなので、電動モータや配線などがないことから構造が複雑になることがなく、収納が容易になる。
【００５３】
次に、図６に示すように、この濾過槽２を、殺菌槽３の中にその上開口３ａから入れて収納するとともに、この殺菌槽３を凝集槽１の中にその上開口１ａから入れて収納する。この際、凝集槽１及び殺菌槽３の底面に、支持部材５０を載置する。これにより、殺菌槽３及び濾過槽２は、支持部材５０に載置される。この場合、支持部材５０は、軸受体１９よりも高さが高く軸受体１９を囲繞するリング状に形成されているので、殺菌槽３及び濾過槽２が軸受体１９に当接することがなく、支持，収納を安定させることができる。そして、図５及び図６に示すように、凝集槽１に蓋４をする。これにより、凝集槽１内に一式が収納されるので、コンパクトになり、搬送を容易にすることができる。
【００５４】
本装置を使用するときは、上記とは逆に、蓋４を開けて、図１に示すように、凝集槽１から殺菌槽３を取り出すとともに、殺菌槽３から濾過槽２を取り出す。また。濾過槽２から、凝集撹拌器１０Ａ，凝集蛇口２０Ａ，殺菌撹拌器１０Ｂ，殺菌蛇口２０Ｃ，濾過蛇口２０Ｂ，蝶ボルト１６や止着部材２９，フィルタ２８及びフィルタ４０等、一式を取り出す。そして、凝集撹拌器１０Ａにおいては、回転軸１３の上分割体１３ａに下分割体１３ｂを組付け、殺菌撹拌器１０Ｂにおいては、回転軸１３の上分割体１３ａに下分割体１３ｂを組付ける。そして、図２に示すように、凝集槽１に凝集撹拌器１０Ａを蝶ボルト１６で組付けるとともに、凝集蛇口２０Ａを組付ける。また、凝集蛇口２０Ａには、フィルタ２８も装着する。図４に示すように、殺菌槽３においても、殺菌槽３に殺菌撹拌器１０Ｂを蝶ボルト１６で組付けるとともに、殺菌蛇口２０Ｃを組付ける。また、殺菌蛇口２０Ｃには、フィルタ２８も装着する。図３に示すように、濾過槽２においては、濾過蛇口２０Ｂを組付け、フィルタ２８も装着する。また、収容槽３３にもフィルタ４０を装着する。
【００５５】
そして、図７に示すように、例えば階段状のスタンド６０を用いるなどして、凝集槽１，濾過槽２，殺菌槽３を、上段から下段に向けて順に載置し、最下段には飲料水を入れる容器６１を置く。この場合、各蛇口が下位の槽，容器６１に処理水を供給できるように位置させる。この状態で、先ず、凝集槽１において、凝集蛇口２０Ａを閉にして、処理水を投入するとともにこの処理水に凝集剤を入れ、凝集撹拌器１０Ａで手動で撹拌する。凝集槽１においては、処理水中の微細粒子は、凝集剤により凝集して凝集体（フロック）となり、撹拌されるので処理水中に分散する。そして、所要時間静置すると、凝集体の多くは凝集槽１の底部に沈殿する。その後、凝集蛇口２０Ａを開にして、凝集槽１から処理水を流出させて、濾過槽２に入れる。この場合、凝集蛇口２０Ａの入口２１は凝集槽１の底面から所定高さ位置にあるので、沈殿した凝集体が排出されにくくなる。凝集槽１に沈殿した沈殿物は適時に取り出す。
【００５６】
濾過槽２では、濾過蛇口２０Ｂを開にしておき、濾過手段３０により処理水の凝集体を濾過する。この際、収容槽３３の処理水は、ガイド板３６の下側の流入口３４から導通路３５を通して仕切り板３２の流下口３１に導かれ、順次流下し、濾過蛇口２０Ｂから殺菌槽３へ排水されていく。殺菌槽３の殺菌蛇口２０Ｃは、閉にしておく。この場合、袋状のフィルタ４０には仕切り板３２に形成された流下口３１に対応する入口４１が形成されているので、フィルタ４０内に入口４１から処理水を通して確実に濾過させることができる。また、処理水をガイド板３６の下側の流入口３４から導通路３５を通して仕切り板３２の流下口３１に導くので、処理水をフィルタ４０に十分晒して濾過することができ、濾過を確実に行うことができる。更に、補助板４５を設けたので、補助板４５と濾過槽２の壁部との間に空間４４が形成されることから、空間４４の空気により排出口３７としての濾過蛇口２０Ｂから確実に処理水を流出させることができる。
【００５７】
そして、濾過した処理水が殺菌槽３に溜まったならば、殺菌槽３内に殺菌剤を入れて、殺菌撹拌器１０Ｂで手動で撹拌する。これにより処理水は殺菌される。そして、殺菌蛇口２０Ｃを開にして処理水を容器６１に取り出す。この処理水は飲料水として用いることができるようになる。
【００５８】
このように、浄水装置Ｓをコンパクトに集約してその搬送を容易にすることができるとともに、浄水処理を手動で行うことができるので、電気配線などの必要がないことから、例えば、災害時に、緊急に湖沼や河川水等を飲料水に浄水したいような場合に、容易に対応できるようになる。また、殺菌槽３を設けたので、殺菌のための容器を別途用意しなくても良くなり、極めて便利になる。
【００５９】
尚、上記実施の形態においては、殺菌槽３を設けたが、必ずしもこれに限定されるものではなく、設けなくても良い、この場合には、別途殺菌用の容器を設ければ良い。また、上記実施の形態では、殺菌槽３に濾過槽２を入れ、この殺菌槽３を凝集槽１に入れるように構成したが、必ずしもこれに限定されるものではなく、大きさを変えて、凝集槽１に濾過槽２を入れ、この凝集槽１を殺菌槽３に入れるように構成しても良く、即ち、凝集槽１と殺菌槽３を入れ替えても良く、適宜変更して差支えない。更に、各層の大きさや形状は上述したものに限定されるものではなく、適宜変更して差支えない。この場合、例えば、処理水を５リットル以上２００リットル以下程度収容できる大きさに形成すると良い。また、撹拌器１０Ａ，１０Ｂの構成も上述したものに限定されるものではなく、手動であればどのような形態であっても差支えない。本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００６０】
Ｓ  浄水装置
１  凝集槽
１ａ  上開口
２  濾過槽
２ａ  上開口
３  殺菌槽
３ａ  上開口
４  蓋
１０Ａ  凝集撹拌器
１０Ｂ  殺菌撹拌器
１１  架設体
１２  軸受部
１３  回転軸
１３ａ  上分割体
１３ｂ  下分割体
１４  撹拌羽
１５  ハンドル
１６  蝶ボルト（止着手段）
１７  雌ネジ部（止着手段）
１８  挿通孔（止着手段）
１９  軸受体
２０Ａ  凝集蛇口
２０Ｂ  濾過蛇口
２０Ｃ  殺菌蛇口
２１  入口
２２  入口部
２３  出口部
２４  本体
２５  ナット
２６  レバー
２７  挿通孔
２８  フィルタ
２９  止着部材
３０  濾過手段
３１  流下口
３２  仕切り板
３３  収容槽
３４  流入口
３５  導通路
３６  ガイド板
３７  排出口
４０  フィルタ
４１  入口
４２  係止部
４３  係止孔
４４  空間
４５  補助板
５０  支持部材
６０  スタンド
６１  容器
【図１】
2018051527.tif 000003
【図２】
2018051527.tif 000004
【図３】
2018051527.tif 000005
【図４】
2018051527.tif 000006
【図５】
2018051527.tif 000007
【図６】
2018051527.tif 000008
【図７】
2018051527.tif 000009